(57)【要約】【課題】払出装置と貯留容器との間の遊技媒体通過路を幅方向でコンパクトにすることが可能な遊技機の提供を目的とする。【解決手段】本発明に係るパチンコ遊技機１０では、遊技球が通過する通過路の中間部或いは終端側に、遊技球を転動させて端部側から略水平方向又は斜め下方に放出する上段ガイド面９２Ｍと、上段ガイド面９２Ｍの端部側から落下した遊技球を受け、下皿２７へと案内する下段ガイド面（媒体受部９１Ｃと終端固定ガイド壁９６の上面）とが設けられている。そして、上段ガイド面９２Ｍと下段ガイド面との間のうち、通常は上方を遊技球が素通りし下皿２７が満杯になったときに遊技球が滞留する位置には、遊技球に押圧されて下皿２７が満杯であると検出する範囲にある媒体自重受部９１Ｂが配置されている。【選択図】図１１
2011024766.tif 000002
【特許請求の範囲】
【請求項１】
払出条件の成立に起因して遊技媒体を排出する払出装置と、
前記払出装置から排出された遊技媒体が払い出される貯留容器と、
前記払出装置から前記貯留容器に向かって遊技媒体が流下する遊技媒体通過路と、
前記遊技媒体通過路の中間部或いは中間部よりも終端側に設けられ、前記貯留容器が満杯になって前記遊技媒体通過路の中間部或いは中間部よりも終端側に滞留した遊技媒体に押圧されることで作動して前記貯留容器が満杯であると検出する満杯検知部とを備えた遊技機において、
前記遊技媒体通過路の中間部或いは中間部よりも終端側には、遊技媒体を転動させて端部側から略水平方向又は斜め下方に放出する上段ガイド面と、前記上段ガイド面の端部側から落下した遊技媒体を受け、前記貯留容器へと案内する下段ガイド面とが設けられ、
前記満杯検知部のうち前記遊技媒体に押圧されて前記貯留容器が満杯であると検出する範囲にある媒体受圧面は、前記上段ガイド面と前記下段ガイド面との間のうち、通常は、上方を遊技媒体が素通りし、前記貯留容器が満杯になったときに遊技媒体が滞留する位置に配置されたことを特徴とする遊技機。
【請求項２】
前記上段ガイド面から落下した遊技媒体は、前記満杯検知部のうち前記媒体受圧面とは異なり、前記貯留容器が満杯であると検出する範囲外の部位に或いは前記満杯検知部の上方を乗り越えて着地し、前記下段ガイド面を介して前記貯留容器に案内されることを特徴とする請求項１に記載の遊技機。
【請求項３】
前記上段ガイド面の端部側の下方位置から、前記上段ガイド面による遊技媒体の放出方向に向けて延びた上面を有し、所定の軌跡で動くことが可能な可動部材と、
前記可動部材のうち少なくとも一部が、可動範囲の所定の待機位置に保持されるように付勢する付勢手段と、
前記貯留容器が満杯になって滞留した遊技媒体の自重に押圧されることで、前記付勢手段の付勢力に抗して、前記可動部材の少なくとも一部を前記可動範囲の所定の作動位置に移動させることが可能な媒体自重受部と、
前記可動部材の少なくとも一部が前記作動位置に配置されていることを検出可能な検出スイッチとを備え、
前記満杯検知部は、前記媒体受圧面としての前記上面の前記媒体自重受部と、前記検出スイッチとから構成されていることを特徴とする請求項１又は２に記載の遊技機。
【請求項４】
前記上面のうち前記媒体自重受部外に設けられて、前記上段ガイド面の端部側から落下した遊技媒体を受ける媒体受部と、
前記可動部材と前記貯留容器との間に設けられ、前記媒体受部から遊技媒体を受けて前記貯留容器に案内するガイド面とが備えられ、
前記下段ガイド面は、前記上面の前記媒体受部と前記ガイド面とから構成されていることを特徴とする請求項３に記載の遊技機。
【請求項５】
前記上段ガイド面を上面に有した上段ガイド壁の端部側から下方に垂下し、前記上面における前記可動部材の少なくとも一部に上方から突き合わされた或いは前記可動部材の少なくとも一部と所定間隔をおいた垂下壁を備えたことを特徴とする請求項３又は４に記載の遊技機。
【請求項６】
前記検出スイッチは、オン位置とオフ位置との間を往復動するスイッチ可動部を有しかつ、所定値以上の力で前記スイッチ可動部が押圧されない限り、前記スイッチ可動部を前記オフ位置に維持する弾性体を内蔵したモメンタリースイッチであって、そのモメンタリースイッチに内蔵の前記弾性体を、前記可動部材を付勢する前記付勢手段としたことを特徴とする請求項３乃至５の何れか１の請求項に記載の遊技機。
【請求項７】
前記上段ガイド面を上面に有した上段ガイド壁の下方位置から前記可動部材の下方位置に亘ってスイッチ収容部を形成し、
前記検出スイッチを前記スイッチ収容部に収容すると共に、その検出スイッチの前記スイッチ可動部を前記可動部材の下面に臨ませたことを特徴とする請求項６に記載の遊技機。
【請求項８】
遊技機の前面の少なくとも一部を中心に開閉可能に動き、前面に前記貯留容器を備えた開閉扉と、
前記開閉扉前後方向に貫通して前端部が前記貯留容器内に連通した扉貫通孔と、
前記開閉扉の後面又は遊技機のうち開閉扉の後面が対向する扉内前面との何れか一方に取り付けられ、遊技媒体が内部を流下可能な流下ケースと、
前記流下ケースの下端側に形成され、前記扉貫通孔が連通した媒体排出部と、
前記流下ケースの前記媒体排出部よりも上端側に形成され、前記払出装置からの遊技媒体を受け入れる媒体受入部とが設けられて、
前記上段ガイド面は、前記媒体受入部の下方位置から前記媒体排出部に向かって下るように傾斜した傾斜面であり、
前記満杯検知部は、前記流下ケースに組み付けられた或いは前記流下ケースの付近に配置したことを特徴とする請求項１乃至７に記載の遊技機。
【請求項９】
遊技機の前面に設けられ、遊技媒体を流下させて遊技を行うための遊技領域と、
前記流下ケースの側方に配置され、前記遊技領域の上端寄り位置に向けて遊技媒体を斜め上方に発射することが可能な発射装置とが備えられ、
前記流下ケースの上面には、前記発射装置から発射され、前記遊技領域に到達しなかったファール媒体を受け入れるためのファール媒体受入口が備えられ、
前記流下ケース内には、前記ファール媒体受入口から受け入れた遊技媒体を、前記上段ガイド面又は前記下段ガイド面上に落下させるように案内するファール媒体ガイド面が備えられていることを特徴とする請求項８に記載の遊技機。
【発明の詳細な説明】
【技術分野】
【０００１】
本発明は、払出装置から排出された遊技媒体が遊技媒体通過路を通過して貯留容器に払い出されると共に、遊技媒体通過路の中間部或いは中間部よりも終端側に設けた満杯検知部により貯留容器が満杯になったことを検出可能な遊技機に関する。
【背景技術】
【０００２】
従来、この種の遊技機として、遊技媒体通過路の終端部に満杯検知部としての満杯検知レバーを備えたものが知られている。満杯検知レバーは、水平方向に対して傾斜し、下端部を中心に傾動する帯板状をなし、弾性部材にて一定の傾斜姿勢に保持されている。また、満杯検知レバーは、遊技媒体通過路の終端部に備えた固定傾斜面に対して横並びに配置され、払出装置からの遊技媒体が、通常、満杯検知レバーの横を素通りして固定傾斜面上を転動し、貯留容器に払い出される。そして、貯留容器が満杯になると、貯留容器から遊技媒体通過路側に溢れた遊技媒体が、満杯検知レバー上に徐々に乗り上がって満杯検知レバーを押し下げ、これにより、貯留容器が満杯になったことが検出される（例えば、特許文献１参照）。
【先行技術文献】
【特許文献】
【０００３】
【特許文献１】特開２００５−１６０９５３号公報（段落［００１５］〜［００１７］，図１参照）
【発明の概要】
【発明が解決しようとする課題】
【０００４】
しかしながら、上記した従来の遊技機では、遊技媒体通過路の終端部において満杯検知レバーと固定傾斜面とが横並びに配置されているので、遊技媒体通過路が幅方向に大型化するという問題が生じていた。また、遊技媒体通過路の幅方向の大型化を回避するために、固定傾斜面を幅狭にすると遊技媒体がスムーズに流下できなくなるという問題が生じる。
【０００５】
本発明は、上記事情に鑑みてなされたもので、払出装置と貯留容器との間の遊技媒体通過路を幅方向でコンパクトにすることが可能な遊技機の提供を目的とする。
【課題を解決するための手段】
【０００６】
上記目的を達成するためになされた請求項１の発明に係る遊技機は、払出条件の成立に起因して遊技媒体を排出する払出装置と、払出装置から排出された遊技媒体が払い出される貯留容器と、払出装置から貯留容器に向かって遊技媒体が流下する遊技媒体通過路と、遊技媒体通過路の中間部或いは中間部よりも終端側に設けられ、貯留容器が満杯になって遊技媒体通過路の中間部或いは中間部よりも終端側に滞留した遊技媒体に押圧されることで作動して貯留容器が満杯であると検出する満杯検知部とを備えた遊技機において、遊技媒体通過路の中間部或いは中間部よりも終端側には、遊技媒体を転動させて端部側から略水平方向又は斜め下方に放出する上段ガイド面と、上段ガイド面の端部側から落下した遊技媒体を受け、貯留容器へと案内する下段ガイド面とが設けられ、満杯検知部のうち遊技媒体に押圧されて貯留容器が満杯であると検出する範囲にある媒体受圧面は、上段ガイド面と下段ガイド面との間のうち、通常は、上方を遊技媒体が素通りし、貯留容器が満杯になったときに遊技媒体が滞留する位置に配置されたところに特徴を有する。
【０００７】
請求項２の発明は、請求項１に記載の遊技機において、上段ガイド面から落下した遊技媒体は、満杯検知部のうち媒体受圧面とは異なり、貯留容器が満杯であると検出する範囲外の部位に或いは満杯検知部の上方を乗り越えて着地し、下段ガイド面を介して貯留容器に案内されるところに特徴を有する。
【０００８】
請求項３の発明は、請求項１又は２に記載の遊技機において、上段ガイド面の端部側の下方位置から、上段ガイド面による遊技媒体の放出方向に向けて延びた上面を有し、所定の軌跡で動くことが可能な可動部材と、可動部材のうち少なくとも一部が、可動範囲の所定の待機位置に保持されるように付勢する付勢手段と、貯留容器が満杯になって滞留した遊技媒体の自重に押圧されることで、付勢手段の付勢力に抗して、可動部材の少なくとも一部を可動範囲の所定の作動位置に移動させることが可能な媒体自重受部と、可動部材の少なくとも一部が作動位置に配置されていることを検出可能な検出スイッチとを備え、満杯検知部は、媒体受圧面としての上面の媒体自重受部と、検出スイッチとから構成されているところに特徴を有する。
【０００９】
請求項４の発明は、請求項３に記載の遊技機において、上面のうち媒体自重受部外に設けられて、上段ガイド面の端部側から落下した遊技媒体を受ける媒体受部と、可動部材と貯留容器との間に設けられ、媒体受部から遊技媒体を受けて貯留容器に案内するガイド面とが備えられ、下段ガイド面は、上面の媒体受部とガイド面とから構成されているところに特徴を有する。
【００１０】
請求項５の発明は、請求項３又は４に記載の遊技機において、上段ガイド面を上面に有した上段ガイド壁の端部側から下方に垂下し、上面における可動部材の少なくとも一部に上方から突き合わされた或いは可動部材の少なくとも一部と所定間隔をおいた垂下壁を備えたところに特徴を有する。
【００１１】
請求項６の発明は、請求項３乃至５の何れか１の請求項に記載の遊技機において、検出スイッチは、オン位置とオフ位置との間を往復動するスイッチ可動部を有しかつ、所定値以上の力でスイッチ可動部が押圧されない限り、スイッチ可動部をオフ位置に維持する弾性体を内蔵したモメンタリースイッチであって、そのモメンタリースイッチに内蔵の弾性体を、可動部材を付勢する付勢手段としたところに特徴を有する。
【００１２】
請求項７の発明は、請求項６に記載の遊技機において、上段ガイド面を上面に有した上段ガイド壁の下方位置から可動部材の下方位置に亘ってスイッチ収容部を形成し、検出スイッチをスイッチ収容部に収容すると共に、その検出スイッチのスイッチ可動部を可動部材の下面に臨ませたところに特徴を有する。
【００１３】
請求項８の発明は、請求項１乃至７に記載の遊技機において、遊技機の前面の少なくとも一部を中心に開閉可能に動き、前面に貯留容器を備えた開閉扉と、開閉扉前後方向に貫通して前端部が貯留容器内に連通した扉貫通孔と、開閉扉の後面又は遊技機のうち開閉扉の後面が対向する扉内前面との何れか一方に取り付けられ、遊技媒体が内部を流下可能な流下ケースと、流下ケースの下端側に形成され、扉貫通孔が連通した媒体排出部と、流下ケースの媒体排出部よりも上端側に形成され、払出装置からの遊技媒体を受け入れる媒体受入部とが設けられて、上段ガイド面は、媒体受入部の下方位置から媒体排出部に向かって下るように傾斜した傾斜面であり、満杯検知部は、流下ケースに組み付けられた或いは流下ケースの付近に配置したところに特徴を有する。
【００１４】
請求項９の発明は、請求項８に記載の遊技機において、遊技機の前面に設けられ、遊技媒体を流下させて遊技を行うための遊技領域と、流下ケースの側方に配置され、遊技領域の上端寄り位置に向けて遊技媒体を斜め上方に発射することが可能な発射装置とが備えられ、流下ケースの上面には、発射装置から発射され、遊技領域に到達しなかったファール媒体を受け入れるためのファール媒体受入口が備えられ、流下ケース内には、ファール媒体受入口から受け入れた遊技媒体を、上段ガイド面又は下段ガイド面上に落下させるように案内するファール媒体ガイド面が備えられているところに特徴を有する。
【発明の効果】
【００１５】
［請求項１の発明］
請求項１の遊技機では、通常は、遊技媒体通過路の中間部或いは中間部よりも終端側における上段ガイド面から遊技媒体が放物線を描いて落下し、その遊技媒体を下段ガイド面が受けて貯留容器へと案内する。ここで、本発明では満杯検知部の媒体受圧面が、上段ガイド面と下段ガイド面との間に配置されていて、通常は、その媒体受圧面の上方を遊技媒体が素通りする。そして、貯留容器が満杯になると、上段ガイド面と下段ガイド面との間に遊技媒体が滞留し、その滞留した遊技媒体によって媒体受圧面が押圧されて、貯留容器が満杯であることが検出される。このように、本発明では、貯留容器の非満杯時に遊技媒体が通過する正規経路の下方に、満杯検知部の媒体受圧面を配置したので、それらを横並びに配置した従来のものに比べて遊技媒体通過路を幅方向でコンパクトにすることができる。また、遊技媒体通過路の幅を従来と同じに設定した場合には、正規経路の幅が従来より幅広になって非満杯時に遊技媒体をスムーズに流下させることが可能になる。
【００１６】
［請求項２の発明］
請求項２の遊技機では、貯留容器の非満杯時に満杯検知部が満杯を検出するような事態を防止することができる。
【００１７】
［請求項３及び４の発明］
満杯検知部は、媒体受圧面が遊技媒体から受ける圧力が一定の基準値を超えたことをもって満杯を検出する構成としてもよいし、媒体受圧面を有する部材が遊技媒体から圧力を受けて平行移動し、その平行移動量が一定の基準値を超えたことをもって満杯を検出する構成としてもよい。また、媒体受圧面を備えた部材が遊技媒体から圧力を受けて回動し、その回動移動量が一定の基準値を超えたことをもって満杯を検出する構成としてもよい。より具体的には、請求項３の発明のように、上段ガイド面の端部側の下方位置から遊技媒体の放出方向に向けて延びた上面を有する可動部材を、所定の軌跡で動かし、その可動部材が遊技媒体の自重を受けて可動範囲の作動位置に移動したことをもって満杯を検出する構成としてもよい。また、そのような構成において、請求項４の発明のように、非満杯時に可動部材の可動困難或いは動かない側の媒体受部上に遊技媒体が落下しても可動部材は動かず、満杯時に、可動部材のうち動く側の媒体自重受部で遊技媒体の自重を受けて動く構成にしてもよい。このような構成とすれば、非満杯時に遊技媒体が可動部材を完全に飛び越える構成とした場合に比べて、遊技媒体通過路の中間或いは終端側をコンパクトにすることができる。
【００１８】
［請求項５の発明］
請求項５の構成によれば、上段ガイド壁から垂下した垂下壁により、上段ガイド壁と可動端部との間に遊技媒体が挟まるような事態を防止することができる。
【００１９】
［請求項６の発明］
請求項６の構成によれば、検出スイッチに内蔵の弾性体が、可動部材を待機位置に保持するための付勢手段に兼用されて、部品点数の削減が図られる。
【００２０】
［請求項７の発明］
請求項７の構成によれば、上段ガイド壁及び可動部材の下方に備えたスイッチ収容部に検出スイッチが収容され、この点においても遊技媒体通過路を幅方向でコンパクトにすることができる。
【００２１】
［請求項８の発明］
請求項８の構成では、遊技機の前面の少なくとも一部を中心に開閉可能に動く開閉扉の後面又はそれが対向する扉内前面との何れか一方に流下ケースを取り付け、流下ケース内に満杯検知部を組み付けたので、開閉扉を開き、必要に応じて流下ケースを取り外して、満杯検知部のメンテナンスを容易に行うことができる。
【００２２】
［請求項９の発明］
請求項９の構成によれば、発射装置から発射され、遊技領域に到達しなかったファール媒体は、流下ケースのファール媒体受入口に受け入れられて上段ガイド面又は下段ガイド面上に落下する。そして、下段ガイド面上に落下した遊技媒体は、貯留容器に払い出され、上段ガイド面上に落下した遊技媒体は、上段ガイド面の端部側から下段ガイド面上に落下して、貯留容器に払い出される。
【図面の簡単な説明】
【００２３】
【図１】本発明の一実施形態に係るパチンコ遊技機の正面図
【図２】パチンコ遊技機の背面図
【図３】パチンコ遊技機の後面側斜視図
【図４】パチンコ遊技機の分解斜視図
【図５】パチンコ遊技機の分解斜視図
【図６】ガラス扉を開いた状態のパチンコ遊技機の前面側斜視図
【図７】下皿扉を開いた状態のパチンコ遊技機の前面側正面図
【図８】パチンコ遊技機の側面図
【図９】払出装置以降の遊技球の流下経路の側断面図
【図１０】下皿誘導カセットの正面図
【図１１】下皿誘導カセットの後側斜視図
【図１２】下皿誘導カセットの前面透視図
【図１３】下皿誘導カセットの前面透視図
【図１４】第２変形例に係る下皿誘導カセットの前面透視図
【図１５】第３変形例に係る下皿誘導カセットの前面透視図
【発明を実施するための形態】
【００２４】
［第１実施形態］
以下、本発明を適用したパチンコ遊技機１０に係る第１実施形態を、図１〜図１３に基づいて説明する。図１に示すように、本実施形態のパチンコ遊技機１０は、ガイドレール１２で囲まれた略円形の遊技領域Ｒ１を有し、遊技領域Ｒ１がガラス窓８３Ｗを通して視認可能になっている。
【００２５】
遊技領域Ｒ１の中央部には、表示装置３０が備えられ、遊技領域Ｒ１のうち表示装置３０より下方には、始動入賞口１４、大入賞口１５及びアウト口１６が、上から順に間隔を開けて並べて設けられている。また、遊技領域Ｒ１のうち表示装置３０の両側には、ランプ風車１７、始動ゲート１８、風車１９、一般入賞口２０，２１がそれぞれ設けられ、ガイドレール１２に沿った両側端部には、サイドランプ２２，２２が設けられている。また、遊技領域Ｒ１全体に亘って、図示しない複数の障害釘が起立している。
【００２６】
パチンコ遊技機１０の前面のうちガラス窓８３Ｗの下方には、上皿２６及び本発明に係る「貯留容器」に相当する下皿２７が上下２段にして設けられている。また、パチンコ遊技機１０の前面における右下角部には操作ノブ２８が備えられている。そして、この操作ノブ２８を操作すると、上皿２６に貯留された遊技球（本発明の「遊技媒体」に相当する）が、順次、遊技領域Ｒ１の上部に弾き出され、それら遊技球が遊技領域Ｒ１を流下する。その遊技球が遊技領域Ｒ１を流下する途中で上記した各入賞口１４，１５，２０，２１に入球すると、その賞球として複数の遊技球が上皿２６内に払い出される。そして、上皿２６が満杯の状態で上記各入賞口１４，１５，２０，２１に遊技球が入球した場合には、その賞球としての複数の遊技球が下皿２７内に払い出される。
【００２７】
上記した一般入賞口２０、始動ゲート１８等の各部位の詳細構造は以下のようになっている。一般入賞口２０，２１は、遊技板１１から突出した部材の上面に開口を備えた、所謂ポケット構造をなし、遊技球が丁度１つ入球可能な大きさで上方に開口している。
【００２８】
始動ゲート１８は、遊技球が潜って通過可能な門形構造をなし、通過した遊技球は始動ゲート１８に内蔵された図示しない普通図柄始動スイッチによって検出される。この検出信号に基づいて、液晶表示画面３０Ｂの一角に設けられた普通図柄表示部１８Ｈにおいて図柄が変動表示される。具体的には、「０」〜「９」までの数字からなる数字図柄が所定期間に亘って変動表示された後、所定の数字図柄が停止表示される。
【００２９】
始動入賞口１４も、一般入賞口２０，２１と同様に、ポケット構造をなしている。始動入賞口１４の開口の左右両側には可動翼片１４Ａ，１４Ａが備えられている。これら両可動翼片１４Ａ，１４Ａは、常には起立状態になっており、このとき両可動翼片１４Ａ，１４Ａに挟まれた始動入賞口１４の開口幅は、遊技球が１つだけ入る大きさとなっている。そして、普通図柄表示部１８Ｈで停止表示された数字図柄が奇数になると、遊技板１１の裏に設けた図示しないソレノイドが駆動されて、可動翼片１４Ａ，１４Ａが所定期間（例えば、０．４秒間）に亘って横に倒される。すると、始動入賞口１４の側方を流下する遊技球が可動翼片１４Ａに受け止められて始動入賞口１４に案内されるようになって始動入賞口１４に入賞し易くなる。
【００３０】
始動入賞口１４に遊技球が入球すると、液晶表示画面３０Ｂにおいて図柄が変動表示される。具体的には、液晶表示画面３０Ｂには、通常、３つの特別図柄３１Ａ，３１Ｂ，３１Ｃが横並びに表示されている。これら各特別図柄３１Ａ，３１Ｂ，３１Ｃには、例えば、「０」〜「１１」の数字を表記した複数種類がそれぞれ備えられ、通常は、何れかの種類の特別図柄３１Ａ，３１Ｂ，３１Ｃが停止表示されている。そして、始動入賞口１４に遊技球が入賞したときに、これら３つの特別図柄３１Ａ，３１Ｂ，３１Ｃが、上下方向にスクロール表示され、所定時間後に、例えば、左、右、中の順で各特別図柄３１Ａ，３１Ｃ，３１Ｂが停止表示される。また、全ての特別図柄３１Ａ，３１Ｂ，３１Ｃが同じ図柄、即ち、ぞろ目になった場合に、遊技が「大当たり状態」になる。
【００３１】
なお、液晶表示画面３０Ｂにおいて特別図柄３１Ａ，３１Ｂ，３１Ｃが変動表示又は「大当たり状態」の最中に始動入賞口１４に入賞した場合、その入賞球は最大で４個まで保留記憶され、特別図柄３１Ａ，３１Ｂ，３１Ｃが停止表示又は「大当たり状態」が終了すると、その保留記憶に基づいて再び、特別図柄３１Ａ，３１Ｂ，３１Ｃが変動表示される。
【００３２】
大入賞口１５は、横長矩形に形成されて前方に開放しており、常には、可動扉１５Ｔにて閉塞されている。パチンコ遊技機１０が「大当たり状態」になると、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００３３】
図４には、上記した遊技領域Ｒ１を前面に有した遊技板１１が示されている。パチンコ遊技機１０は、この遊技板１１と、機構枠８１と外枠８２とガラス枠８３と本発明に係る「開閉扉」に相当する下皿扉８４とを組み付けてなる。以下、これら遊技板１１、機構枠８１等の説明において、遊技者に対向する側を前面側、その反対側を後面側と呼ぶこととする。
【００３４】
遊技板１１は、縦長の略長方形の木板における上部両角部を斜めにカットした形状になっている。また、遊技板１１には、複数の貫通孔（図示せず）が穿孔されて、それら貫通孔に上記した大入賞口１５、表示装置３０等（図１参照）が取り付けられている。さらに、遊技板１１の前面には、上記したガイドレール１２が取り付けられると共に、複数の障害釘（図１参照）が打ち付けられ、遊技板１１の後面には、図２に示すように、主制御基板３２Ａ及び従制御基板３２Ｂが取り付けられている。そして、これら主制御基板３２Ａ及び従制御基板３２Ｂによって前記した表示装置３０の表示画像や、可動翼片１４Ａの開閉動作や、遊技の当否確率の変更等の制御を行っている。
【００３５】
外枠８２（図４参照）は、木製の長板を縦長矩形状に接合した構造をなしている。そして、この外枠８２が遊技ホールの遊技島（図示しない）に固定される。外枠８２には、前面視左側の上下２箇所に金属製のヒンジベース８５，８５が取り付けられ、それら各ヒンジベース８５から上方に突出したヒンジピン８５Ｐが突出している。
【００３６】
機構枠８１は、ヒンジピン８５Ｐを介して外枠８２の一側部に回動可能に連結され、通常は、図３に示すように、外枠８２の前面に重ねた状態で施錠されている。また、図４に示すように、機構枠８１の内側面における後縁部からは、内側に向けて基板係止突壁７７Ｔが突出していて、その基板係止突壁７７Ｔより前方側が遊技板嵌合部７７になっている。そして、この遊技板嵌合部７７に前方から遊技板１１が嵌合されて固定されている。
【００３７】
図４に示すように、機構枠８１の前面における下端右角部には、前記した操作ノブ２８が備えられている。そして、図６及び図７に示すように、機構枠８１のうち操作ノブ２８と反対側の側縁部に、ガラス枠８３と下皿扉８４とが回動可能に連結されている。そして、これらガラス枠８３及び下皿扉８４は、パチンコ遊技機１０の前面の一側部を中心に回動し、通常は、機構枠８１の前面を覆った状態で施錠されている。
【００３８】
図６に示すように、下皿扉８４は、前面側に前記下皿２７を備え、機構枠８１の前面のうち操作ノブ２８を除いた下端領域全体を覆っている。下皿２７の底面には、排出孔２７Ｓが形成され、下皿２７の底面は排出孔２７Ｓに向かって緩やかに下っている。この排出孔２７Ｓは、常には閉じていて、下皿２７の下面に備えた球抜レバー４７の操作によって排出孔２７Ｓが開く。このとき、例えば、排出孔２７Ｓの下方に図示しない受容箱（所謂、ドル箱）を配置しておけば、下皿２７から受容箱へと遊技球を移動することができる。
【００３９】
ガラス枠８３は、機構枠８１の前面のうち下皿扉８４にて覆われた下端領域を除く全体を覆っている。また、図４に示すように、ガラス枠８３の下端部には前記した上皿２６が備えられ、その上皿２６の上方にはガラス窓８３Ｗが備えられている。さらに、ガラス枠８３の前面上端部における両角部には１対のスピーカ８３Ｓ，８３Ｓが備えられている（図１参照）。
【００４０】
図５に示すように、機構枠８１の後面のうち遊技板嵌合部７７より下側部分には、球回収ダクト８１Ｄが設けられている。球回収ダクト８１Ｄは、前記した一般入賞口２０，２１、始動入賞口１４、大入賞口１５及びアウト口１６を通過して遊技板１１の後面側に取り込まれた遊技球を回収して、遊技ホールの図示しない球循環システムに戻している。そして、図３に示すように、その球回収ダクト８１Ｄの後方には、発射制御基板３２Ｍ、電源基板３２Ｆ、払出制御基板３２Ｌが取り付けられている。
【００４１】
図５に示すように、機構枠８１のうち基板係止突壁７７Ｔの後面からは、保護囲壁７６Ａが後方に向けて突出している。そして、図２に示すように、この保護囲壁７６Ａにより、主制御基板３２Ａ、従制御基板３２Ｂ及び表示装置３０等が上方及び両側方から覆われている。
【００４２】
また、図３に示すように、保護囲壁７６Ａの後面開口には、後面カバー７６Ｂ（図４及び図５参照）が回動可能に組み付けられている。この後面カバー７６Ｂは、保護囲壁７６Ａの後面開口における上側部分を閉塞可能な大きさをなし、通常は閉塞状態に固定されている。なお、保護囲壁７６Ａの後面開口のうち、下側部分は常時開放され、主制御基板３２Ａが露出している。また、保護囲壁７６Ａ及び後面カバー７６Ｂは、透明な樹脂で構成されている。
【００４３】
図５に示すように、保護囲壁７６Ａの上端部には貯留タンク７５が設けられ、遊技ホールに備えた球循環システムから貯留タンク７５へと遊技球が供給されて一時的に貯留される。そして、貯留タンク７５に貯留された遊技球が、保護囲壁７６Ａの上辺に沿って保護囲壁７６Ａの後面視右側に流下してから、保護囲壁７６Ａの右側の側辺部分を鉛直下方に移動し、さらに、機構枠８１の前面視左下部に形成された払出ダクト挿通孔８１Ｈ（図４参照）の貫通孔を通過して前記した上皿２６又は下皿２７に払い出されるようになっている。
【００４４】
具体的には、貯留タンク７５は、図５に示すように、保護囲壁７６Ａの上面に一体形成された側壁を有して上面が開放した容器構造をなしている。また、貯留タンク７５は、保護囲壁７６Ａを後面側から見て左寄りに配置され、保護囲壁７６Ａの前後方向の略全体に亘った大きさになっている。さらに、貯留タンク７５における後面視、右側の後端角部からは、右方向に上辺樋７８が延び、その上辺樋７８の終端部分が、保護囲壁７６Ａの後面視、右側辺部分に備えた側辺樋７９の上端部に連絡されている。なお、貯留タンク７５の底面には、板金が敷設されてアース接続され、これにより、遊技球の静電気が除去されるようになっている。
【００４５】
上辺樋７８は、遊技球が１つ分の幅の１対の上辺個別流下樋をパチンコ遊技機１０の前後方向に並べて備えた構造をなし、保護囲壁７６Ａの後端面に配置されている。また、上辺樋７８は、貯留タンク７５から側辺樋７９に向けて下るように僅かに傾斜しかつ、上辺樋７８の各上辺個別流下樋は保護囲壁７６Ａの前後方向に蛇行した形状になっている。上辺樋７８では、貯留タンク７５側から段積み状態になって流下してきた遊技球群に、蛇行形状部で衝撃を与え、段積み状態の解消を図っている。
【００４６】
図８に示すように、側辺樋７９は、遊技球が１つ分の幅の１対の側辺個別流下樋をパチンコ遊技機１０の左右方向に並べて備え、保護囲壁７６Ａの後端面に配置されている。そして、上辺樋７８の１対の上辺個別流下樋が、側辺樋７９の１対の側辺個別流下樋の上端部に連通している。この側辺樋７９の各側辺個別流下樋も、上辺樋７８と同様に前後方向に蛇行している。これにより、遊技球の流下速度が抑えられるようになっている。なお、図示しないが、各側辺個別流下樋の中間部には球カウンタが備えられ、各側辺個別流下樋を通過する遊技球をカウントしている。
【００４７】
図５に示すように、側辺樋７９の下端部は、遊技板嵌合部７７における下端寄り位置に配置されて、払出装置７２に接続されている。払出装置７２には、図９に示すように、遊技球が１つのみ通過可能な大きさの流下通路７２Ａが対をなして横並びに設けられ、流下通路７２Ａ，７２Ａの始端部は、払出装置７２の上面に横並びになって開口し、側辺樋７９における側辺個別流下樋に連絡されている。そして、それら流下通路７２Ａ，７２Ａは、上下方向に延び且つ途中でクランク状に屈曲している。流下通路７２Ａ，７２Ａの終端部は、払出装置７２の下面に横並びになって開口して１対の球排出口７２Ｘ，７２Ｘになっている。
【００４８】
両流下通路７２Ａ，７２Ａの下端部同士の間にはスクリュー７０が設けられ、そのスクリュー７０から側方に張り出した螺旋翼７０Ａが、各流下通路７２Ａ，７２Ａ内に突入して遊技球の通過を規制している。そのスクリュー７０は、ステッピングモータ７３によって回転駆動可能となっており、スクリュー７０が１８０度回転する度に、螺旋翼７０Ａの下端部が各流下通路７２Ａ，７２Ａ内を交互に通過し、これにより１対の球排出口７２Ｘ，７２Ｘから交互に遊技球が排出される。結果、１対の球排出口７２Ｘ，７２Ｘから交互に遊技球が流下することになる。
【００４９】
ステッピングモータ７３によるスクリュー７０の回転駆動角度は、前記した払出制御基板３２Ｌ（図３参照）によって制御されている。具体的には、前記した入賞口１４，１５，２０，２１等に遊技球が入賞すると、これを遊技板１１の裏面に備えた遊技球検出スイッチが検出して検出信号を払出制御基板３２Ｌに付与する。払出制御基板３２Ｌは、始動入賞口１４及び一般入賞口２０，２１の何れかに１つ遊技球が入賞する毎に、その賞球として例えば４個の遊技球が払出装置７２から排出されるようにステッピングモータ７３を駆動制御すると共に、大入賞口１５に１つ遊技球が入賞する毎に、その賞球として例えば１５個の遊技球が払出装置７２から排出されるようにステッピングモータ７３を駆動制御する。なお、両流下通路７２Ａ，７２Ａの下端部には、それぞれ払出センサ７１，７１が設けられ、これら払出センサ７１が各流下通路７２Ａから排出された遊技球の数を確認するようになっている。
【００５０】
図９に示すように、払出装置７２の下方には、流路コア部品５０が備えられている。流路コア部品５０には、上端開口を球排出口７２Ｘ，７２Ｘに下方から対向させた複合樋５１，５１が対をなして横並びに設けられている。複合樋５１，５１は、途中から前方に向かって略９０度屈曲し、複合樋５１，５１の上端部から屈曲部までは、後述する分配ボックス３４の後面上端壁３７Ｔによって前方から覆われている。また、複合樋５１，５１のうち、後面上端壁３７Ｔによって覆われていない下端開口は、分配ボックス３４の球受入口３７Ｋに連絡されている。これにより、流路コア部品５０を鉛直落下する遊技球を途中で徐々に前方に向かうように方向変換させて、分配ボックス３４へと流下させる。
【００５１】
分配ボックス３４は、図９に示すように、大箱部３６の上面前端寄り位置に小箱部３７を設けて、それら大箱部３６と小箱部３７の内部を連通させ、大箱部の底面から第１払出ダクト３４Ａ及び第２払出ダクト３４Ｂが延びた構造になっている。
【００５２】
小箱部３７の後面上端寄り位置には球受入口３７Ｋが形成され、その球受入口３７Ｋの下側の開口縁部から内側に向けてガイド突壁３８が張り出している。ガイド突壁３８は、斜め前側下方に向かって若干傾斜していて、そのガイド突壁３８の先端は小箱部３７における前後方向の中間に位置している。
【００５３】
球受入口３７Ｋの上側の開口縁には、軸支部４１Ｊが備えられて、その軸支部４１Ｊから減速回動板４１が垂下されている。また、軸支部４１Ｊより前側には、ストッパ壁４２が小箱部３７の天井面に備えられている。そして、減速回動板４１は、通常は、軸支部４１Ｊから鉛直下方に垂下して球受入口３７Ｋを閉塞する閉塞位置に配置され、球受入口３７Ｋに進入してガイド突壁３８上を流下する遊技球に押されて、分配ボックス３４の内側上方に押し上げられるように回動する。このとき、減速回動板４１が大きく跳ね上げられた場合には、ストッパ壁４２に当接することで回動が規制され、早期に閉塞位置に復帰する。これにより、遊技球は、減速回動板４１にて流下速度を抑制されて、ガイド突壁３８の先端から斜め前方に落下する。
【００５４】
小箱部３７のうち前側内面には、シート支持板３９が取り付けられ、そのシート支持板３９の表面に緩衝シート４０が敷設されている。緩衝シート４０は、ガイド突壁３８より高い位置からガイド突壁３８より下方でかつ大箱部３６との境界部分に亘る範囲に配置され、ガイド突壁３８上を流下した遊技球が緩衝シート４０に衝突して衝撃が吸収されるようになっている。これにより、遊技球の後方への跳ね返り距離が抑えられ、遊技球が分配ボックス３４の下端部前側に集められる。
【００５５】
大箱部３６の底面からは区画突壁３６Ｔが突出している。区画突壁３６Ｔは、大箱部３６の底面における左右方向全体に亘って延び、大箱部３６における前後方向の中央より若干前寄りに配置されている。また、区画突壁３６Ｔは、小箱部３７の後端面より前側に位置し、ガイド突壁３８の先端より少し後側に位置している。さらに、区画突壁３６Ｔは、大箱部３６全体の高さの略半分の大きさをなしている。そして、大箱部３６の底面のうち区画突壁３６Ｔより前側部分から第１払出ダクト３４Ａが延び、大箱部３６の底面のうち区画突壁３６Ｔより後側部分から第２払出ダクト３４Ｂが延びている。
【００５６】
図４に示すように、機構枠８１のうち機構枠８１の回動中心寄り位置には、前後方向に払出ダクト挿通孔８１Ｈが貫通形成されている。そして、図９に示すように、払出ダクト挿通孔８１Ｈの内部には、第１払出ダクト３４Ａと第２払出ダクト３４Ｂとが共に湾曲しかつ第１払出ダクト３４Ａの下方に第２払出ダクト３４Ｂが重ねられた状態になって挿入され、それら第１と第２の払出ダクト３４Ａ，３４Ｂの端部開口が機構枠８１の前方に向かって開放している。
【００５７】
なお、区画突壁３６Ｔの前面は、第１払出ダクト３４Ａ内に位置しかつ上下方向で湾曲していて、上方から転落してきた遊技球をスムーズに前方に方向転換する。また、図示しないが、第１払出ダクト３４Ａ及び第２払出ダクト３４Ｂは、機構枠８１に近づくに従って幅狭になっている。
【００５８】
図８に示すように、払出装置７２における後端部は球抜部７２Ｖになっている。そして、球抜部７２Ｖの下面に備えた球抜孔７２Ｚは、流路コア部品５０の後面に設けられた球抜流下経路５２に連絡される。また、球抜流下経路５２の下端部は大箱部３６の側面に形成された角筒状の案内筒３６Ｄ（図３参照）の後端部に接続され、その案内筒３６Ｄの前端部が前記した球回収ダクト８１Ｄに接続されている。
【００５９】
そして、球抜部７２Ｖの後面に備えた操作レバー７２Ｗ，７２Ｙ（図３参照）を操作することで、流下通路７２Ａ，７２Ａの中間部が球抜部７２Ｖ内の図示しない流下路に連通し、球抜孔７２Ｚから遊技球が排出される。これにより、払出装置７２からの抜き球が、球抜流下経路５２を通して球回収ダクト８１Ｄに流下して遊技ホールの球循環システムに戻る。
【００６０】
図４に示すように、機構枠８１の前面のうち遊技板嵌合部７７より下側部分には、左右方向の中央に遊技領域Ｒ１の上端寄り位置に向けて遊技球を斜め上方に発射することが可能な発射装置８６が備えられている。発射装置８６は、操作ノブ２８を操作することで遊技球を弾き出す発射槌８６Ｔと発射レール８６Ｒとを備えている。
【００６１】
発射装置８６の前面側には、球送りカセット８７が取り付けられている。この球送りカセット８７は、透明な樹脂で構成されている。図４に示すように、球送りカセット８７の前面視右上部には、供給孔８７Ｚが形成されている。供給孔８７Ｚは、ガラス枠８３の後面に開口して上皿２６に貫通している球供給孔２６Ｚ（図６参照）に連通される。これにより、上皿２６（図１参照）に貯留された遊技球が球送りカセット８７に取り込まれ、発射装置８６に１球ずつ供給される。
【００６２】
また、球送りカセット８７の前面視中央部には、スライド部８７Ｙが設けられている。スライド部８７Ｙは、ガラス枠８３の後面で球供給孔２６Ｚの下方に設けられた球抜スライド２６Ｙ（図６参照）に連動してスライドするように配置されている。なお、球抜スライド２６Ｙは、上皿２６の上面に備えた球抜ボタン２６Ｂ（図１参照）を操作することでスライドする。
【００６３】
さらに、球送りカセット８７の前面視左下部には、球抜き孔８７Ｘが形成されている。球抜き孔８７Ｘは、下皿扉８４の後面に開口して下皿２７に貫通している抜球導入孔２７Ｘ（図５参照）に連通するように配置されている。なお、この球抜き孔８７Ｘは、常には閉じていて、スライド部８７Ｙのスライドに伴って開放される。
【００６４】
即ち、上皿２６の上面に備えた球抜ボタン２６Ｂを操作することで、球抜スライド２６Ｙ（図６参照）がスライドし、球送りカセット８７のスライド部８７Ｙが連動してスライドして球抜き孔８７Ｘを開放する。これにより、上皿２６から球送りカセット８７及び下皿２７までが連通し、上皿２６及び球送りカセット８７内の遊技球が、下皿２７に払い出される。
【００６５】
本実施形態では、図７に示すように、機構枠８１の前面のうち、球送りカセット８７の側方で、回動中心寄り位置には、本発明に係る「流下ケース」に相当する下皿誘導カセット８８が取り付けられている。
【００６６】
図１１には、下皿誘導カセット８８のうち機構枠８１の前面に接合される側の面（後面）から見た状態が示されている。同図に示すように、下皿誘導カセット８８は、前後方向に偏平な箱形形状をなし、機構枠８１の前面に対向配置される前面壁８８Ｆの外縁部から側壁８８Ｓを機構枠８１に向けて張り出して備えている。そして、その側壁８８Ｓの先端を機構枠８１の前面に突き当てた状態にして固定され、機構枠８１の前面と前面壁８８Ｆとの間に遊技球を流下させる空間を形成している。なお、下皿誘導カセット８８は、透明な樹脂で構成されている。
【００６７】
図１０に示すように、下皿誘導カセット８８の前面視左上角部には、前面壁８８Ｆが切り欠けられて、ダクト挿通孔８８Ｈが形成されている。また、右下角部には、本発明に係る「媒体排出部」に相当する排出孔８８Ｗが前方に向かって開口している。
【００６８】
さて、図１１に示すように、下皿誘導カセット８８のうち、ダクト挿通孔８８Ｈの下方で、下皿誘導カセット８８における上下方向の中央よりやや下寄り位置には、前面壁８８Ｆから後方に向かって、上段ガイド壁９２が張り出している。上段ガイド壁９２は、下皿誘導カセット８８の後面視右側の側壁８８Ｓから、下皿誘導カセット８８における左右方向の中央よりやや左寄り位置に亘って形成されている。この上段ガイド壁９２の上面全体は、本発明に係る上段ガイド面９２Ｍになっている。上段ガイド面９２Ｍは、排出孔８８Ｗに向かって斜めに傾斜し、遊技球が２個同時に流下できる幅になっている。
【００６９】
上段ガイド壁９２の末端からは、垂下壁９２Ｓが垂下している。また、上段ガイド壁９２の長手方向における垂下壁９２Ｓ寄り位置の下面からは、垂下壁９２Ｓよりも下方に垂下して、下端が垂下壁９２Ｓ側に水平に屈曲したＬ字状の保持壁９２Ｈが形成されている。
【００７０】
また、前面壁８８Ｆのうち、排出孔８８Ｗの下縁部からは、終端固定ガイド壁９６が、後方に向かって張り出している。終端固定ガイド壁９６は、全体が排出孔８８Ｗに向かって緩やかに下るように傾斜し、下皿誘導カセット８８の後面視左側の側壁８８Ｓと機構枠８１との間の角部を丸くした扇状をなしている。そして、その円弧に沿って、湾曲して後方から排出孔８８Ｗを覆うガイド壁９６Ｇを備えている。なお、終端固定ガイド壁９６の上面全体が、本発明に係る「ガイド面」になっている。
【００７１】
図１１に示すように、前記上段ガイド壁９２の下端部と終端固定ガイド壁９６との間には、本発明に係る「可動部材」に相当する可動ガイド９１が備えられている。可動ガイド９１は、略長方形の板状をなし、その上面が前記上段ガイド面９２Ｍと終端固定ガイド壁９６の上面を繋ぐように配置されている。
【００７２】
詳細には、可動ガイド９１の短辺は、上段ガイド面９２Ｍの幅よりも若干狭くなっていて、一方の短辺の下部に、短辺方向に貫通した丸穴を備えた芯状の軸端部９１Ｊが一体形成されている。そして、他方の短辺部は、軸端部９１Ｊ側にへの字状に屈曲され、幅細の板状の可動端部９１Ａが形成されている。そして、可動端部９１Ａのうち、屈曲部寄りの下面からは、可動端部垂下壁９１Ｓが垂下している。
【００７３】
前面壁８８Ｆのうち、排出孔８８Ｗの側方には、図示しない螺子螺合孔が貫通形成され、その螺子螺合孔に挿通した螺子が、可動ガイド９１の軸端部９１Ｊに螺合され、前面壁８８Ｆに対して可動ガイド９１が軸端部９１Ｊを中心にして回動可能に軸支されている。ここで、可動端部９１Ａは、前述した上段ガイド壁９２の保持壁９２Ｈと垂下壁９２Ｓとの間に配置されている。これにより、可動端部９１Ａの下面が保持壁９２Ｈに接する「作動位置」と、可動端部９１Ａの上面が垂下壁９２Ｓに接する「待機位置」との間で可動ガイド９１の回動が規制されている。換言すると、可動ガイド９１は、上段ガイド面９２Ｍから離れた側の端部を中心にして所定の回動ストロークで回動する。
【００７４】
図１１に示すように、上段ガイド壁９２の下方位置で、下皿誘導カセット８８の左右方向における中央には、スイッチ収容部が形成され、本発明に係る「検出スイッチ」に相当する満杯検出センサ９０が収容されている。
【００７５】
図１２及び図１３には、機構枠８１の前面壁８８Ｆを前方から透かして見た状態の下皿誘導カセット８８が示されている。満杯検出センサ９０は、図１２に示すように、略直方体のボディのうち、上面の一端部にスイッチ可動部９０Ｕが備えられている。スイッチ可動部９０Ｕは、モメンタリースイッチであって、ボディから突出したオフ位置（図１２参照）と、ボディに収納されたオン位置（図１３参照）との間を往復動する。そして、スイッチ可動部９０Ｕがオン位置になると、満杯検出センサ９０がオンして、満杯信号が主制御基板３２Ａに送信される。なお、主制御基板３２Ａが満杯信号を受信すると、満杯信号が音声制御基板（図示せず）に送信されて、スピーカ８３Ｓ，８３Ｓによって下皿２７が満杯であることが報知される。
【００７６】
スイッチ可動部９０Ｕは、板金状の弾発可動部９０Ｓによって上方を覆われている。弾発可動部９０Ｓは、一端がスイッチ可動部９０Ｕとは反対側のボディの端部に固定されている。満杯検出センサ９０は、所定値以上の力で押圧されない限り、スイッチ可動部９０Ｕをオフ位置に維持する弾性体を内蔵している（図示せず）。なお、上記した弾性体が、本発明に係る「付勢手段」に兼用されている。そして、通常は、弾発可動部９０Ｓの他端がスイッチ可動部９０Ｕによって上方に付勢されて、可動ガイド９１の可動端部垂下壁９１Ｓに下方から宛われている。これにより、可動ガイド９１が回動ストロークの上端側の待機位置に保持される。なお、前述した上段ガイド壁９２の保持壁９２Ｈは、スイッチ可動部９０Ｕのオン位置で可動端部９１Ａを受け止めるように配置されている。
【００７７】
そして、図１１に示すように、可動ガイド９１の上面のうち可動端部９１Ａを除く帯形上面９１Ｈが、本発明に係る「上面」となって、上段ガイド面９２Ｍの末端の下方位置から上段ガイド面９２Ｍによる遊技球の放出方向の斜め前側下方に向かって延び、上段ガイド面９２Ｍの下端から転落した遊技球を斜め下方に案内する。
【００７８】
また、帯形上面９１Ｈのうち、軸端部９１Ｊ寄り位置は、上段ガイド面９２Ｍの末端から放物線を描いて落下した遊技球を受ける媒体受部９１Ｃになっている。そして、媒体受部９１Ｃと、前述した終端固定ガイド壁９６の上面とが、本発明に係る「下段ガイド面」に相当する。
【００７９】
また、帯形上面９１Ｈのうち、可動端部９１Ａ寄り位置に配置され、通常は、上方を遊技球が素通りし（図１２参照）、下皿２７が満杯になったときに遊技球が滞留する（図１３参照）位置が、媒体自重受部９１Ｂになっていて、本発明に係る「媒体受圧面」にも相当する。そして、媒体自重受部９１Ｂは、滞留した遊技媒体の自重に押圧されることで、前記弾性体の付勢力に抗して、可動ガイド９１が回動ストロークの下端側の作動位置に移動される。なお、満杯検出センサ９０と、媒体自重受部９１Ｂとが、本発明に係る「満杯検知部」に相当する。
【００８０】
下皿誘導カセット８８が機構枠８１に取り付けられると、図１０に示すように、上述した機構枠８１に開口した払出ダクト挿通孔８１Ｈのうち、第２払出ダクト３４Ｂが、機構枠８１の前面と下皿誘導カセット８８の前面壁８８Ｆとの間に形成されて、ダクト挿通孔８８Ｈと上段ガイド面９２Ｍの間に位置する媒体受入空間８８Ｋ（図１１参照）に連通される。ここで、媒体受入空間８８Ｋは、本発明に係る「媒体受入部」に相当し、第２払出ダクト３４Ｂを流下した遊技球を、下皿誘導カセット８８内へと受け入れる。即ち、下皿誘導カセット８８のうち左右方向の右下角部に排出孔８８Ｗが配置される一方、左上角部に媒体受入空間８８Ｋが配置されている。
【００８１】
また、下皿扉８４を閉じると、図９に示すように、下皿扉８４の後面に開口し下皿扉８４を前後方向に貫通して前端部が下皿２７に連通した扉貫通孔２７Ｗ（図５参照）が、下皿誘導カセット８８の排出孔８８Ｗと連通する。
【００８２】
なお、図１０に示すように、下皿誘導カセット８８のダクト挿通孔８８Ｈに対向する位置には、第１払出ダクト３４Ａが配置される。機構枠８１の前面には、第１払出ダクト３４Ａを上方から覆うように突壁が突出し、その先端から可動扉８９が垂下している（図６参照）。そして、ガラス枠８３を閉じると、図９に示すように、ガラス枠８３の後面でガラス枠８３の回動中心寄り位置から後方に向けて突出した上皿連結ダクト２６Ｔが、ダクト挿通孔８８Ｈに突入し、かつ、可動扉８９を上方側に押し開いて第１払出ダクト３４Ａに接続される。
【００８３】
図１１に示すように、下皿誘導カセット８８のうち、前述した球送りカセット８７に隣接する側の上方角部には、発射レール８６Ｒと、遊技板１１に設けられたガイドレール１２とを結ぶように発射球通路Ｒ２が備えられている。そして、発射槌８６Ｔによって発射された遊技球が、発射球通路Ｒ２を通過してガイドレール１２に発射される。なお、発射装置８６から発射されて遊技領域Ｒ１に到達しなかったファール球（本発明の「ファール媒体」に相当する）は、発射球通路Ｒ２から下皿誘導カセット８８内へと流下する。即ち、発射球通路Ｒ２は、本発明に係る「ファール媒体受入口」に相当する。
【００８４】
また、排出孔８８Ｗの上方で、発射球通路Ｒ２の下方には、終端固定ガイド壁９６を上方から覆うサブガイド壁９５が、前面壁８８Ｆから後方に向かって張り出している。サブガイド壁９５は、逆Ｖ字の屋根状をなして側壁８８Ｓに一体形成されている。同様にして、サブガイド壁９５の側方上部には、サブガイド壁９４が設けられている。サブガイド壁９４は、クランク状をなして可動ガイド９１及び上段ガイド壁９２の一部を覆っている。そして、サブガイド壁９４の側方上部に、サブガイド壁９４と段違いに形成されたサブガイド壁９３が設けられている。サブガイド壁９３，９４は、可動ガイド９１に向かって鉛直下方に流下する遊技球を、上段ガイド壁９２側へ案内する流路を形成している。そして、これらサブガイド壁９３，９４，９５の上面は、本発明に係る「ファール媒体ガイド面」になっている。なお、サブガイド壁９５の下面には、板金が敷設されてアース接続され、これにより、遊技球の静電気が除去されるようになっている。
【００８５】
本実施形態のパチンコ遊技機１０の構成に関する説明は以上である。次に、このパチンコ遊技機１０の作用効果について説明する。図１に示した操作ノブ２８を操作して複数の遊技球を遊技領域Ｒ１に打ち込むと、それら遊技球が遊技領域Ｒ１を流下する途中で所定の入賞口１４，１５，２０，２１に入賞し、これが遊技板１１の裏面に備えた遊技球検出スイッチにて検出され、その検出信号が払出制御基板３２Ｌ（図２）に付与される。そして、払出装置７２が払出制御基板３２Ｌに制御されて、複合樋５１，５１へと複数の遊技球を１つずつ交互に排出する。
【００８６】
すると、図９に示すように、各遊技球が、各複合樋５１内を最初は鉛直落下し、途中で徐々に前方に向かうように方向変換され、分配ボックス３４の後面の球受入口３７Ｋから分配ボックス３４内に進入する。そして、遊技球が分配ボックス３４内のガイド突壁３８上を転動しながら減速回動板４１を押し上げて通過する。遊技球は、ガイド突壁３８の先端から斜め前方に落下し、そこに開口した第１払出ダクト３４Ａ内へと落下し、第１払出ダクト３４Ａから上皿連結ダクト２６Ｔを通過して上皿２６へと遊技球が払い出される。
【００８７】
そして、上皿２６が遊技球で満杯になり、第１払出ダクト３４Ａにおける分配ボックス３４内の始端部まで遊技球が満たされると、ガイド突壁３８から落下した遊技球が、第１払出ダクト３４Ａの始端部に満たされた遊技球に衝突して区画突壁３６Ｔを乗り越え、分配ボックス３４の底面における後側部分に開口した第２払出ダクト３４Ｂ内へと落下する。
【００８８】
第２払出ダクト３４Ｂを流下してきた遊技球は、下皿誘導カセット８８の媒体受入空間８８Ｋ（図１１参照）に流下し、上段ガイド面９２Ｍに着地する。すると、図１２に示すように、遊技球は上段ガイド面９２Ｍを転動して末端から斜め下方に放出されて、放物線を描いて流下し、可動ガイド９１の媒体自重受部９１Ｂ及び満杯検出センサ９０の上方を素通りして、可動ガイド９１の軸端部９１Ｊ付近の媒体受部９１Ｃに落下する。
【００８９】
ここで、可動ガイド９１は、媒体受部９１Ｃに遊技球が１、２個着地した場合においても回動しない。或いは、多少回動しても可動ガイド９１の下方にある満杯検出センサ９０のスイッチ可動部９０Ｕがオン位置になるまで回動することはない。従って、下皿２７の非満杯時に満杯検出センサ９０が満杯を検出するような事態を防止することができる。
【００９０】
そして、媒体受部９１Ｃを着地した遊技球は、終端固定ガイド壁９６に流下し、終端固定ガイド壁９６の上面及びガイド壁９６Ｇによって排出孔８８Ｗに案内されて、扉貫通孔２７Ｗを通って下皿２７に払い出される。
【００９１】
なお、発射装置８６から発射されて遊技領域Ｒ１に到達しなかったファール球のうち、サブガイド壁９３，９４を流下した遊技球は上段ガイド面９２Ｍに着地し、サブガイド壁９５を流下してきたファール球は可動ガイド９１の媒体受部９１Ｃに着地し、同様に下皿誘導カセット８８内を流下する。
【００９２】
一方、下皿２７が遊技球により満杯になると、図１３に示すように、下皿誘導カセット８８を流下した遊技球が終端固定ガイド壁９６に滞留し、更に可動ガイド９１の媒体自重受部９１Ｂまで乗り上げる。
【００９３】
ここで、可動ガイド９１のうち、媒体自重受部９１Ｂは、滞留した遊技球の自重に押圧されることで、満杯検出センサ９０の弾発可動部９０Ｓ（詳細にはスイッチ可動部９０Ｕ）の付勢力に抗して可動ガイド９１を回動させる。なお、上段ガイド壁９２の末端には、垂下壁９２Ｓが設けられているので、上段ガイド壁９２と可動端部９１Ａとの間に遊技球が挟まるような事態を防止することができる。
【００９４】
そして、可動端部９１Ａが作動位置に移動すると、可動端部垂下壁９１Ｓが弾発可動部９０Ｓを押下し、スイッチ可動部９０Ｕが押下されて、満杯検出センサ９０がオンする。すると、満杯信号が主制御基板３２Ａに送信され、主制御基板３２Ａが満杯信号を音声制御基板に送信して、スピーカ８３Ｓ，８３Ｓによって下皿２７が満杯であることが報知される。これにより、遊技者は、下皿２７が満杯であることを認識することができる。
【００９５】
このように、本実施形態では、下皿２７の非満杯時に遊技球が通過する正規経路の下方に媒体自重受部９１Ｂを配置したので、それらを横並びに配置した従来のものに比べて遊技媒体通過路を幅方向でコンパクトにすることができると共に、下皿２７の満杯時に溢れた遊技球により媒体自重受部９１Ｂを効率よく押圧することができる。また、遊技媒体通過路の幅を従来と同じに設定した場合には、正規経路の幅が従来より幅広になって、非満杯時に遊技球をスムーズに流下させることが可能になる。さらに、本実施形態では、媒体自重受部９１Ｂを遊技媒体通過路の終端側に設けたので、下皿２７の満杯を早期に検出することが可能になる。
【００９６】
また、上段ガイド壁９２及び可動ガイド９１の下方に満杯検出センサ９０が収容されているので、遊技媒体通過路を幅方向でコンパクトにすることができる。そして、非満杯時に可動ガイド９１の回動中心側の媒体受部９１Ｃ上に遊技球が落下しても可動ガイド９１は回動せず、満杯時に、可動ガイド９１のうち媒体受部９１Ｃより回動端側の媒体自重受部で遊技球の自重を受けて回動するので、非満杯時に遊技球が可動ガイド９１を完全に飛び越える構成とした場合に比べて、遊技媒体通過路の終端部をコンパクトにすることができる。
【００９７】
しかも、下皿扉８４が対向する機構枠８１の前面に下皿誘導カセット８８を取り付け、下皿誘導カセット８８内に満杯検出センサ９０と、可動ガイド９１（詳細には、媒体自重受部９１Ｂ）とを組み付けたので、下皿扉８４を開き、必要に応じて下皿誘導カセット８８を取り外して、メンテナンスを容易に行うことができる。
【００９８】
なお、下皿２７の下面に備えた球抜レバー４７を操作すれば、下皿２７から受容箱に遊技球を移動させて遊技球の滞留を解消することができる。ここで、満杯報知しているにもかかわらず、遊技者が遊技球を下皿２７から抜かない場合には、満杯報知を継続させて、払出装置７２の払出を停止、或いは発射装置８６の発射を停止させるなどしてもよい。また、払出は停止するが、入賞口に入賞した遊技球の数を記憶し、満杯検出センサ９０がオフ状態になった場合に、記憶した分の遊技球を払い出す構成としてもよい。
［第２実施形態］
【００９９】
第２実施形態のパチンコ遊技機は、可動ガイドの構造が上記第１実施形態とは異なる。以下、第１実施形態と異なる構成に関してのみ説明する。その他の構成については上記第１実施形態と同じであるため、同じ構成については、同一符号を付し、重複する説明は省略する。
【０１００】
本実施形態の可動ガイド１０１は、可動ガイド１０１の下部のうち、遊技球が上段ガイド面９２Ｍの末端から放物線を描いて落下する位置よりもやや上段ガイド壁９２寄り位置に、軸端部１０１Ｊが形成されている。そして、下皿誘導カセット８８の前面壁８８Ｆに対して、軸端部１０１Ｊを中心にしてシーソー状に回動可能に軸支されている。即ち、軸端部１０１Ｊを挟んで、媒体受部１０１Ｃが終端固定ガイド壁９６側に配置され、媒体自重受部１０１Ｂが上段ガイド壁９２側に配置されている。
【０１０１】
この構成によれば、図１４（Ａ）に示すように、下皿２７が満杯でない場合には、下皿誘導カセット８８を流下する遊技球は満杯検出センサ９０及び媒体自重受部１０１Ｂを飛び越えて媒体受部１０１Ｃに着地する。そして、終端固定ガイド壁９６の上面及びガイド壁９６Ｇに誘導されて、排出孔８８Ｗ及び扉貫通孔２７Ｗを通って、下皿２７に払い出される。一方、図１４（Ｂ）に示すように、下皿２７が遊技球により満杯になると、下皿誘導カセット８８を流下した遊技球が可動ガイド１０１の軸端部１０１Ｊを超えて乗り上げた時に、可動端部１０１Ａが下方に回動し弾発可動部９０Ｓ及びスイッチ可動部９０Ｕを押下し、満杯検出センサ９０がオンする。
【０１０２】
［第３実施形態］
第３実施形態のパチンコ遊技機は、可動ガイドと満杯検出センサの取り付け構造が上記第１及び第２実施形態とは異なる。以下、第１及び第２実施形態と異なる構成に関してのみ説明する。その他の構成については上記第１実施形態と同じであるため、同じ構成については、同一符号を付し、重複する説明は省略する。
【０１０３】
本実施形態の可動ガイド１０２は、上記第１実施形態の可動ガイド９１から可動端部９１Ａ及び可動端部垂下壁９１Ｓを取り除いた形状をなし、上段ガイド壁９２の垂下壁９２Ｓの下方に、前面壁８８Ｆに対して軸端部１０１Ｊを中心にして回動可能に軸支されている。可動ガイド１０２は、重力によって下方に付勢され、満杯検出センサ９０には、上記第１及び第２実施形態における弾発可動部９０Ｓが備えられていない。
【０１０４】
この構成によれば、図１５（Ａ）に示すように、下皿２７が満杯でない場合には、下皿誘導カセット８８を流下する遊技球は満杯検出センサ９０及び可動ガイド１０２を飛び越えて、下皿誘導カセット８８のうち、上段ガイド壁９２の下端部と終端固定ガイド壁９６との間に形成された流下面８８Ｃに着地する。そして、終端固定ガイド壁９６の上面及びガイド壁９６Ｇに誘導されて、排出孔８８Ｗ及び扉貫通孔２７Ｗを通って、下皿２７に払い出される。一方、図１５（Ｂ）に示すように、下皿２７が遊技球により満杯になると、下皿誘導カセット８８を流下した遊技球が流下面８８Ｃを介して可動ガイド１０２を横方向に押下し、可動端部９１Ａが回動し、スイッチ可動部９０Ｕを押下し、満杯検出センサ９０がオンする。
【０１０５】
即ち、本実施形態では、下皿誘導カセット８８の流下面８８Ｃが、本発明に係る「媒体受部」に相当し、可動ガイド１０２全体が、本発明に係る「媒体自重受部」かつ「媒体受圧面」になっている。
【０１０６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）本発明は、下皿満杯スイッチのみに限らず、上皿満杯スイッチのみ、上皿満杯スイッチ及び下皿満杯スイッチの双方に適用してもよい。
（２）前記実施形態では、上皿及び下皿の双方を有しているが、例えば、皿が一つのパチンコ遊技機や皿が３つ以上あるパチンコ遊技機の任意の箇所に適用してもよい。
（３）前記実施形態では、下皿誘導カセット８８を機構枠８１の前側に適用しているが、機構枠８１の後ろ側、内部でもよいし、下皿扉８４の後面に取り付けてもよい。
（４）前記第１及び第２実施形態において、上段ガイド面９２Ｍの傾斜角度及び遊技球の重量を調整して、媒体受部９１Ｃ，１０１Ｃ（着地点）の配置を変更してもよい。
（５）前記実施形態では、遊技媒体は、球状であったが、例えば、ラグビーボールのような楕円体であってもよいし、サッカーボールのような多面体であってもよい。
【符号の説明】
【０１０７】
１０    パチンコ遊技機
１１    遊技板
２７    下皿（貯留容器）
２７Ｗ    扉貫通孔
３４Ａ    第１払出ダクト
３４Ｂ    第２払出ダクト
７２    払出装置
７５    貯留タンク
８１    機構枠
８４    下皿扉（開閉扉）
８８    下皿誘導カセット（流下ケース）
８８Ｈ    ダクト挿通孔
８８Ｋ    媒体受入空間（媒体受入部）
８８Ｗ    排出孔（媒体排出部）
９０    満杯検出センサ（検出スイッチ）
９０Ｓ    弾発可動部
９０Ｕ    スイッチ可動部
９１，１０１，１０２    可動ガイド（可動部材）
９１Ａ，１０１Ａ    可動端部
９１Ｂ，１０１Ｂ    媒体自重受部（媒体受圧面）
９１Ｃ，１０１Ｃ    媒体受部
９１Ｈ    帯形上面（上面）
９１Ｊ，１０１Ｊ，１０２Ｊ    軸端部
９２    上段ガイド壁
９２Ｍ    上段ガイド面
９２Ｓ    垂下壁
９３，９４，９５    サブガイド壁（ファール媒体ガイド面）
９６    終端固定ガイド壁（ガイド面）
Ｒ１    遊技領域
Ｒ２    発射球通路（ファール媒体受入口）
【図１】
2011024766.tif 000003
【図２】
2011024766.tif 000004
【図３】
2011024766.tif 000005
【図４】
2011024766.tif 000006
【図５】
2011024766.tif 000007
【図６】
2011024766.tif 000008
【図７】
2011024766.tif 000009
【図８】
2011024766.tif 000010
【図９】
2011024766.tif 000011
【図１０】
2011024766.tif 000012
【図１１】
2011024766.tif 000013
【図１２】
2011024766.tif 000014
【図１３】
2011024766.tif 000015
【図１４】
2011024766.tif 000016
【図１５】
2011024766.tif 000017